(57)【要約】【課題】プロジェクター内部が温度上昇した場合、３次元映像の表示品質を維持しつつ、過熱により生じる故障を回避するプロジェクターを提供する。【解決手段】プロジェクター５００は、映像を投写するための光源として印加電圧に応じた輝度で発光する放電灯９０と、温度変化を検出する温度検出部５９０と、映像に応じて右目用映像および左目用映像を所定の切り替えタイミングで交互に切り替え、時間的に隣り合う切り替えタイミングに挟まれる期間を第１期間で始まり、第２期間で終わるように制御するタイミング制御部５８４と、第２期間の印加電圧が第１期間の印加電圧より高くなるように制御し、かつ、少なくとも第２期間における印加電圧を温度検出部５９０が検出する温度変化に応じて増減させる光源駆動制御部５８２と、を備える。【選択図】図３
2015102571.tif 000002
【特許請求の範囲】
【請求項１】
映像を投写するための光源として印加電圧に応じた輝度で発光する発光手段と、
前記発光手段の温度変化を検出する検出手段と、
前記映像が３Ｄ映像である場合、前記映像に応じて右目用映像および左目用映像を所定の切り替えタイミングで交互に切り替え、時間的に隣り合う前記切り替えタイミングに挟まれる期間を第１期間で始まり、第２期間で終わるように制御する切り替え制御手段と、
前記第２期間の前記印加電圧が前記第１期間の前記印加電圧より高くなるように制御し、かつ、少なくとも前記第２期間における前記印加電圧を前記温度変化に応じて増減させる印加電圧制御手段と、を備えることを特徴とする投写装置。
【請求項２】
請求項１に記載の投写装置において、
前記印加電圧制御手段は、前記検出手段が前記温度変化を検出した場合、前記温度変化と前記第２期間の前記印加電圧との関係を示す第１の相関関係に基づいて、前記第２期間の前記印加電圧を決定することを特徴とする投写装置。
【請求項３】
請求項２に記載の投写装置において、
前記印加電圧制御手段は、前記映像が３Ｄ映像でない場合、連続した前記第１期間と前記第２期間における前記印加電圧が同一になるように制御し、前記検出手段が温度上昇を検出した場合、前記温度変化と前記同一の印加電圧との関係を示す第２の相関関係に基づいて前記印加電圧を決定することを特徴とする投写装置。
【請求項４】
請求項３に記載の投写装置において、
前記第２の相関関係における前記温度変化に対する前記同一の印加電圧の変化率は、前記第１の相関関係における前記温度変化に対する前記第２期間の前記印加電圧の変化率より大きいことを特徴とする投写装置。
【請求項５】
請求項３に記載の投写装置において、
前記検出手段は、前記発光手段の温度を検出することができ、
前記映像が３Ｄ映像である場合に検出した前記温度と、前記映像が３Ｄ映像でない場合に検出した前記温度が同じである場合、前記第２期間の前記印加電圧は前記同一の印加電圧より高いことを特徴とする投写装置。
【請求項６】
請求項３に記載の投写装置において、
前記第１の相関関係および前記第２の相関関係はテーブル形式で記憶されていることを特徴とする投写装置。
【発明の詳細な説明】
【技術分野】
【０００１】
本発明は、投写装置に関する。
【背景技術】
【０００２】
近年、プロジェクターで立体映像のような３次元映像を表示する方法として、右目用映像と左目用映像とを切り替えて交互に出力する方式（例えば、「XPAND beyond cinema（登録商標）」方式などのアクティブシャッターメガネ方式）が知られている。
この方式では、映像信号に同期したアクティブシャッターメガネ等を装着させ、右目用映像を右目に、左目用映像を左目に見せることにより、左右の目の視差を用いて映像を立体的に視認させる。
右目用映像と左目用映像とを交互に出力する方式で立体映像を投影する場合は、従来の平面映像（２次元映像）を投影する場合に比べて、右目と左目とに入る光量が半分以下となる。また、右目用映像が左目に入ったり左目用映像が右目に入ったりするクロストークが生じると、映像が立体的に感じられなくなるため、アクティブシャッターが両方とも閉じている期間が必要となる。
【０００３】
従って、右目用映像と左目用映像とを交互に出力する方式で立体映像を投影する場合には、従来の平面映像を投影する場合よりも映像が暗く見えるため、下記特許文献１に示すように、右目用映像と左目用映像との切り替え直前の映像の輝度を、切り替え直後の映像の輝度よりも明るくすることで、立体映像が暗く見えることを回避している。
ところで、このようなプロジェクターでは、画像をより明るく投写するために高輝度なランプが使用される。従って、想定される温度上昇に対応できるファンや送風経路等の冷却装置をプロジェクターの内部に構成し、冷却装置を駆動させることにより高い輝度で連続した投写を可能にしている。また、他の物品等がプロジェクターの排気口を塞ぎ排気を妨げるような状況になった場合には、過熱による故障を防止すべくプロジェクター内部に設置された温度センサーが温度の異常な上昇を検知し、ランプの輝度を所定の輝度値に低下させる機能を有している。
【先行技術文献】
【特許文献】
【０００４】
【特許文献１】特開２０１２−３２５０４号公報
【発明の概要】
【発明が解決しようとする課題】
【０００５】
しかしながら、３次元映像を表示している場合、ランプの輝度を所定の輝度値に低下させることで、右目および左目にそれぞれ入る光量が急激に低下し、３次元映像の表示品質を著しく低下させた。
本発明は、上述の課題に鑑みてなされたものであり、プロジェクター内部が温度上昇した場合、３次元映像の表示品質を維持しつつ、過熱により生じる障害を回避するプロジェクターを提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］
本適用例にかかる投写装置は、映像を投写するための光源として印加電圧に応じた輝度で発光する発光手段と、前記発光手段の温度変化を検出する検出手段と、前記映像が３Ｄ映像である場合、前記映像に応じて右目用映像および左目用映像を所定の切り替えタイミングで交互に切り替え、時間的に隣り合う前記切り替えタイミングに挟まれる期間を第１期間で始まり、第２期間で終わるように制御する切り替え制御手段と、前記第２期間の前記印加電圧が前記第１期間の前記印加電圧より高くなるように制御し、かつ、少なくとも前記第２期間における前記印加電圧を前記温度変化に応じて増減させる印加電圧制御手段と、を備えることを特徴とする。
【０００８】
このような構成によれば、映像が３Ｄ映像である場合、切り替え制御手段は、映像に応じて右目用映像および左目用映像を所定の切り替えタイミングで交互に切り替えることに加え、右目用映像の期間および左目用映像の期間がそれぞれ第１期間で始まり、第２期間で終わるように制御し、印加電圧制御手段は、第２期間における発光手段の輝度を第１期間よりも上げることに加え、発光手段の温度変化に応じて少なくとも第２期間における発光手段の輝度を増減する。従って、３Ｄ映像の視認において感じる映像の明るさを維持しつつ、過熱により生じる障害を回避できる。
【０００９】
［適用例２］
上記適用例にかかる投写装置において、前記印加電圧制御手段は、前記検出手段が前記温度変化を検出した場合、前記温度変化と前記第２期間の前記印加電圧との関係を示す第１の相関関係に基づいて、前記第２期間の前記印加電圧を決定することが好ましい。
【００１０】
このような構成によれば、発光手段の温度が変化した場合、温度変化に応じた第２期間の印加電圧を示す第１の相関関係に基づいて発光手段に対する印加電圧を決定するため、第１の相関関係を適切に設定することで効果的に印加電圧を制御できる。
【００１１】
［適用例３］
上記適用例にかかる投写装置において、前記印加電圧制御手段は、前記映像が３Ｄ映像でない場合、連続した前記第１期間と前記第２期間における前記印加電圧が同一になるように制御し、前記検出手段が温度上昇を検出した場合、前記温度変化と前記同一の印加電圧との関係を示す第２の相関関係に基づいて前記印加電圧を決定することが好ましい。
【００１２】
このような構成によれば、映像が３Ｄ映像でない場合、第１期間および第２期間における印加電圧は同一になり、検出手段が温度上昇を検出した場合の印加電圧は、温度変化と印加電圧との関係を示す第２の相関関係に基づいて決定される。
【００１３】
［適用例４］
上記適用例にかかる投写装置において、前記第２の相関関係における前記温度変化に対する前記同一の印加電圧の変化率は、前記第１の相関関係における前記温度変化に対する前記第２期間の前記印加電圧の変化率より大きいことが好ましい。
【００１４】
このような構成によれば、温度変化に応じた印加電圧の変化率は、第２の相関関係を適用した場合の方が第１の相関関係を適用した場合よりも大きくなる。
【００１５】
［適用例５］
上記適用例にかかる投写装置において、前記検出手段は、前記発光手段の温度を検出することができ、前記映像が３Ｄ映像である場合に検出した前記温度と、前記映像が３Ｄ映像でない場合に検出した前記温度が同じである場合、前記第２期間の前記印加電圧は前記同一の印加電圧より高いことが好ましい。
【００１６】
このような構成によれば、映像が３Ｄ映像である場は、３Ｄ映像ではない場合と比較して、発光手段の温度の上昇に応じた輝度の低減を抑制できる。
【００１７】
［適用例６］
上記適用例にかかる投写装置において、前記第１の相関関係および前記第２の相関関係はテーブル形式で記憶されていても良い。
【図面の簡単な説明】
【００１８】
【図１】本発明の実施形態に係るプロジェクターの光学系を示す図。
【図２】光源装置の構成を示す図。
【図３】本発明の実施形態に係るプロジェクターの機能構成を示す図。
【図４】第１期間、第２期間及び切り替えタイミングについて説明する図。
【図５】温度変化と、温度変化に応じて制御される放電灯の輝度の変化を示す図。
【発明を実施するための形態】
【００１９】
以下、本発明の実施形態について図面を参照して説明する。
【００２０】
（実施形態）
１−１．プロジェクターの光学系
図１は、本実施形態に係るプロジェクター５００の光学系を示す説明図である。投写装置であるプロジェクター５００は液晶プロジェクター方式を採用し、光源装置２００と、平行化レンズ３０５と、照明光学系３１０と、色分離光学系３２０と、３つの液晶ライトバルブ３３０Ｒ、３３０Ｇ、３３０Ｂと、クロスダイクロイックプリズム３４０と、投写光学系３５０とを有している。
光源装置２００は、光源ユニット２１０と、放電灯点灯装置１０と、を有している。光源ユニット２１０は、主反射鏡１１２、副反射鏡５０（図２）および放電灯９０を有している。放電灯点灯装置１０は、映像を投写する光源として機能する放電灯９０に電力を供給して、放電灯９０を点灯させる。
尚、放電灯９０は映像を投写するための光源として印加電圧に応じた輝度で発光する発光手段として機能する。本実施形態では、放電灯９０は高圧水銀ランプやメタルハライドランプを想定するが、これらには限定されない。
主反射鏡１１２は、放電灯９０から放出された光を、照射方向Ｄに向けて反射する。照射方向Ｄは、光軸ＡＸと平行である。光源ユニット２１０からの光は、平行化レンズ３０５を通過して照明光学系３１０に入射する。この平行化レンズ３０５は、光源ユニット２１０からの光を平行化する。
【００２１】
照明光学系３１０は、光源装置２００からの光の照度を液晶ライトバルブ３３０Ｒ、３３０Ｇ、３３０Ｂにおいて均一化する。また、照明光学系３１０は、光源装置２００からの光の偏光方向を一方向に揃える。この理由は、光源装置２００からの光を液晶ライトバルブ３３０Ｒ、３３０Ｇ、３３０Ｂで有効に利用するためである。照度分布と偏光方向とが調整された光は、色分離光学系３２０に入射する。色分離光学系３２０は、入射光を、赤（Ｒ）、緑（Ｇ）、青（Ｂ）の３つの色光に分離する。３つの色光は、各色に対応付けられた液晶ライトバルブ３３０Ｒ、３３０Ｇ、３３０Ｂによって、それぞれ変調される。
液晶ライトバルブ３３０Ｒ、３３０Ｇ、３３０Ｂは、液晶パネル５６０Ｒ、５６０Ｇ、５６０Ｂと、液晶パネル５６０Ｒ、５６０Ｇ、５６０Ｂのそれぞれの光入射側及び出射側に配置される偏光板（図示せず）を備える。変調された３つの色光は、クロスダイクロイックプリズム３４０によって合成される。合成光は、投写光学系３５０に入射する。
投写光学系３５０は、入射光をスクリーン７００（図３）に投写する。これにより、スクリーン７００上には画像が表示される。
【００２２】
尚、平行化レンズ３０５と、照明光学系３１０と、色分離光学系３２０と、クロスダイクロイックプリズム３４０と、投写光学系３５０とのそれぞれの構成としては、周知の種々の構成を採用可能である。
図２は、光源装置２００の構成を示す説明図である。光源装置２００は、光源ユニット２１０と放電灯点灯装置１０とを有している。図中には、光源ユニット２１０の断面図が示されている。光源ユニット２１０は、主反射鏡１１２と放電灯９０と副反射鏡５０とを有している。
放電灯９０の形状は、第１端部９０ｅ１から第２端部９０ｅ２まで、照射方向Ｄに沿って延びる棒形状である。放電灯９０の材料は、例えば、石英ガラス等の透光性材料である。放電灯９０の中央部は球状に膨らんでおり、その内には、放電空間９１が形成されている。放電空間９１内には、希ガス、金属ハロゲン化合物等を含む放電媒体であるガスが封入されている。
【００２３】
また、放電空間９１内には、第１電極９２及び第２電極９３が、放電灯９０から突き出している。第１電極９２は、放電空間９１の第１端部９０ｅ１側に配置され、第２電極９３は、放電空間９１の第２端部９０ｅ２側に配置されている。これらの第１電極９２及び第２電極９３の形状は、光軸ＡＸに沿って延びる棒形状である。放電空間９１内では、第１電極９２及び第２電極９３の電極先端部（「放電端」とも呼ぶ）が、所定距離だけ離れて向かい合っている。尚、これらの第１電極９２及び第２電極９３の材料は、例えば、タングステン等の金属である。
【００２４】
放電灯９０の第１端部９０ｅ１には、第１端子５３６が設けられている。第１端子５３６と第１電極９２とは、放電灯９０の内部を通る導電性部材５３４によって電気的に接続されている。同様に、放電灯９０の第２端部９０ｅ２には、第２端子５４６が設けられている。第２端子５４６と第２電極９３とは、放電灯９０の内部を通る導電性部材５４４によって電気的に接続されている。第１端子５３６及び第２端子５４６の材料は、例えば、タングステン等の金属である。また、各導電性部材５３４、５４４としては、例えば、モリブデン箔が利用される。
【００２５】
第１端子５３６及び第２端子５４６は、放電灯点灯装置１０に接続されている。放電灯点灯装置１０は、第１端子５３６及び第２端子５４６に、放電灯９０を駆動する駆動電流を供給する。その結果、第１電極９２及び第２電極９３の間でアーク放電が起きる。アーク放電により発生した光（放電光）は、破線の矢印で示すように、放電位置から全方向に向かって放射される。
放電灯９０の第１端部９０ｅ１には、固定部材１１４によって、主反射鏡１１２が固定されている。主反射鏡１１２の反射面（放電灯９０側の面）の形状は、回転楕円形状である。主反射鏡１１２は、放電光を照射方向Ｄに向かって反射する。尚、主反射鏡１１２の反射面の形状としては、回転楕円形状に限らず、放電光を照射方向Ｄに向かって反射するような種々の形状を採用可能である。例えば、回転放物線形状を採用してもよい。この場合は、主反射鏡１１２は、放電光を、光軸ＡＸにほぼ平行な光に変換することができる。したがって、平行化レンズ３０５を省略することができる。
【００２６】
放電灯９０の第２端部９０ｅ２側には、固定部材５２２によって、副反射鏡５０が固定されている。副反射鏡５０の反射面（放電灯９０側の面）の形状は、放電空間９１の第２端部９０ｅ２側を囲む球面形状である。副反射鏡５０は、放電光を、主反射鏡１１２に向かって反射する。これにより、放電空間９１から放射される光の利用効率を高めることができる。
尚、固定部材１１４、５２２の材料としては、放電灯９０の発熱に耐える任意の耐熱材料（例えば、耐熱性を有する無機接着剤）を採用可能である。また、主反射鏡１１２及び副反射鏡５０と放電灯９０との配置を固定する方法としては、主反射鏡１１２及び副反射鏡５０を放電灯９０に固定する方法に限らず、任意の方法を採用可能である。例えば、放電灯９０と主反射鏡１１２とを、独立に、プロジェクターの筐体（図示せず）に固定してもよい。副反射鏡５０についても同様である。
【００２７】
１−２．プロジェクターの機能構成
図３は、本実施形態に係るプロジェクター５００の機能構成を示す図である。プロジェクター５００は、先に説明した光学系に加え、画像信号変換部５１０、直流電源装置８０、放電灯点灯装置１０、放電灯９０、液晶パネル５６０Ｒ，５６０Ｇ，５６０Ｂ、画像処理装置５７０、温度検出部５９０、冷却装置５９５および制御部５８０を含む。また、制御部５８０は光源駆動制御部５８２およびタイミング制御部５８４を備える。
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。また、画像信号変換部５１０は、画像信号５０２として、所与の切り替えタイミングで右目用映像と左目用映像とが交互に切り替わる立体映像信号が入力された場合には、右目用映像と左目用映像との切り替えタイミングに基づいて、制御信号を生成するための同期信号を制御部５８０に出力する。
【００２８】
直流電源装置８０は、外部の交流電源６００から供給される交流電圧を一定の直流電圧に変換し、トランス（図示しないが、直流電源装置８０に含まれる）の２次側にある画像信号変換部５１０、画像処理装置５７０及びトランスの１次側にある放電灯点灯装置１０に変換した直流電圧を供給する。
放電灯点灯装置１０は、起動時に放電灯９０の電極間に高電圧を発生して絶縁破壊させて放電路を形成し、以後放電灯９０が放電を維持するための駆動電流を供給する。尚、放電灯点灯装置１０は、光源駆動制御部５８２から出力される指示信号に基づいて放電灯９０に印加する印加電圧Ｖを可変することで、放電灯９０の輝度を制御する。
液晶パネル５６０Ｒ，５６０Ｇ，５６０Ｂは、それぞれ駆動信号５７２Ｒ、５７２Ｇ、５７２Ｂに基づいて、先に説明した光学系を介して各液晶パネルに入射される色光の輝度を変調する。
【００２９】
画像処理装置５７０は、３つの画像信号５１２Ｒ，５１２Ｇ，５１２Ｂに対してそれぞれ画像処理を行い、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
温度検出部５９０は、プロジェクター５００内部の温度変化を検出し、温度変化に関する温度情報を出力する検出手段として機能する。温度検出部５９０は、プロジェクター５００内部に設置され、温度変化に応じた電気信号を出力する温度センサー（図示せず）を有する。本実施形態では、温度センサーは、光源装置２００の放電灯９０近傍や、液晶パネル５６０Ｒ，５６０Ｇ，５６０Ｂの近傍に設置され、放電灯９０から発光される光エネルギーが熱エネルギーに変換されることで生じる温度変化を検出している。温度検出部５９０は、温度センサーから出力される電気信号を温度情報に変換し、変換した温度情報を出力する。尚、温度センサーが複数個設置されている場合、検出した温度が最も高い温度センサーの温度情報が出力されるように設定されている。
【００３０】
光源駆動制御部５８２は、光源装置２００の動作を制御する。本実施形態では、光源駆動制御部５８２は、放電灯点灯装置１０から放電灯９０の点灯情報や、画像信号変換部５１０から出力される同期信号や、温度検出部５９０から温度情報を受け取り、点灯情報や温度情報に基づいて、放電灯９０に印加する印加電圧を増減させるべく、指示信号を放電灯点灯装置１０に出力する。尚、光源駆動制御部５８２は印加電圧制御手段に相当する。
タイミング制御部５８４は、画像信号変換部５１０から出力される画像信号５０２の同期信号に同期し、アクティブシャッターメガネ４１０を制御するための制御信号を、有線又は無線の通信手段を介してアクティブシャッターメガネ４１０に出力する。尚、タイミング制御部５８４は切り替え制御手段に相当する。
尚、プロジェクターシステム４００は、プロジェクター５００とアクティブシャッターメガネ４１０とを含んで構成され、３次元表示に対応した映像（３Ｄ映像）の画像信号５０２に応じてアクティブシャッターメガネ４１０を制御することで、アクティブシャッターメガネ４１０を装着した視聴者に対して立体感のある画像を視認させることができる。
【００３１】
アクティブシャッターメガネ４１０は、右シャッター４１２と左シャッター４１４を含んでいてもよい。右シャッター４１２及び左シャッター４１４は、制御信号に基づいて開閉制御される。ユーザーがアクティブシャッターメガネ４１０を装着した場合に、右シャッター４１２が閉じられることにより、右目側の視野を遮ることができる。
また、ユーザーがアクティブシャッターメガネ４１０を装着した場合に、左シャッター４１４が閉じられることにより、左目側の視野を遮ることができる。右シャッター４１２及び左シャッター４１４は、例えば、液晶シャッターで構成されていてもよい。
【００３２】
１−３．プロジェクターの制御例
次に、第１実施形態に係るプロジェクター５００における駆動電流Ｉの制御の具体例について説明する。
【００３３】
図４は、第１期間、第２期間及び切り替えタイミングについて説明するための図である。図４には、上から順に駆動信号５７２Ｒ，５７２Ｇ，５７２Ｂの内容、右シャッター４１２の開閉状態、左シャッター４１４の開閉状態、第１期間と第２期間、切り替えタイミングの時間的関係が示されている。図４の横軸は時間である。
【００３４】
図４に示される例では、駆動信号５７２Ｒ，５７２Ｇ，５７２Ｂは、時刻ｔ１から時刻ｔ３までの間は右目用映像、時刻ｔ３から時刻ｔ５までの間は左目用映像、時刻ｔ５から時刻ｔ７までの間は右目用映像、時刻ｔ７から時刻ｔ９までの間は左目用映像に対応する駆動信号となっている。したがって、図４に示される例では、プロジェクター５００は、時刻ｔ１、時刻ｔ３、時刻ｔ５、時刻ｔ７、時刻ｔ９を切り替えタイミングとして、右目用映像と左目用映像とを切り替えて交互に出力する。
【００３５】
時間的に隣り合う切り替えタイミングに挟まれる期間は、第１期間で始まり、第２期間で終わる。図４に示される例では、例えば、切り替えタイミングとなる時刻ｔ１と時刻ｔ３とに挟まれる期間は、時刻ｔ１から時刻ｔ２までの間の第１期間で始まり、時刻ｔ２から時刻ｔ３までの間の第２期間で終わる。切り替えタイミングとなる時刻ｔ３と時刻ｔ５とに挟まれる期間、切り替えタイミングとなる時刻ｔ５と時刻ｔ７とに挟まれる期間、切り替えタイミングとなる時刻ｔ７と時刻ｔ９とに挟まれる期間についても同様である。
尚、図４に示される例では、第１期間の長さと第２期間の長さとを同一に表しているが、第１期間の長さと第２期間の長さは、必要に応じてそれぞれ適宜設定できる。
【００３６】
右シャッター４１２は、右目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図４に示される例では、右シャッター４１２は、時刻ｔ１から時刻ｔ２までの間では閉じた状態であり、時刻ｔ２から時刻ｔ３までの間は開いた状態である。また、図４に示される例では、左目用映像に対応する駆動信号５７２Ｒ，５７２Ｇ，５７２Ｂが液晶パネル５６０Ｒ，５６０Ｇ，５６０Ｂに入力されている期間において、右シャッター４１２は、時刻ｔ３から閉じ始め、時刻ｔ３と時刻ｔ４との間で閉じ終わり、時刻ｔ４から時刻ｔ５までの間は閉じた状態である。時刻ｔ５から時刻ｔ９までの間における右シャッター４１２の開閉状態の変化は、時刻ｔ１から時刻ｔ５までの間の開閉状態の変化と同様である。
【００３７】
左シャッター４１４は、左目用映像に対応する駆動信号５７２Ｒ，５７２Ｇ，５７２Ｂが液晶パネル５６０Ｒ，５６０Ｇ，５６０Ｂに入力されている期間の少なくとも一部の期間で開いた状態となる。図４に示される例では、左シャッター４１４は、時刻ｔ３から時刻ｔ４までの間では閉じた状態であり、時刻ｔ４から時刻ｔ５までの間は開いた状態である。
また、図４に示される例では、右目用映像に対応する駆動信号５７２Ｒ，５７２Ｇ，５７２Ｂが液晶パネル５６０Ｒ，５６０Ｇ，５６０Ｂに入力されている期間において、左シャッター４１４は、時刻ｔ１から閉じ始め、時刻ｔ１と時刻ｔ２との間で閉じ終わり、時刻ｔ２から時刻ｔ３までの間は閉じた状態である。時刻ｔ５から時刻ｔ９までの間における左シャッター４１４の開閉状態の変化は、時刻ｔ１から時刻ｔ５までの間の開閉状態の変化と同様である。
【００３８】
図４に示される例では、右目用映像に対応する駆動信号５７２Ｒ，５７２Ｇ，５７２Ｂが液晶パネル５６０Ｒ，５６０Ｇ，５６０Ｂに入力されている期間においては、右シャッター４１２が閉じている期間が第１期間、右シャッター４１２が開いている期間が第２期間に対応している。
また、図４に示される例では、左目用映像に対応する駆動信号５７２Ｒ，５７２Ｇ，５７２Ｂが液晶パネル５６０Ｒ，５６０Ｇ，５６０Ｂに入力されている期間においては、左シャッター４１４が閉じている期間が第１期間、左シャッター４１４が開いている期間が第２期間に対応している。また、図４に示される例では、第１期間においては、右シャッター４１２及び左シャッター４１４のいずれのシャッターも閉じている期間が存在している。
【００３９】
図５は、プロジェクター５００が３次元表示に対応した映像の画像信号５０２を表示する場合、温度検出部５９０が検出する温度変化と、温度変化に応じて制御される放電灯９０の輝度（ランプ輝度）の変化を示す。
図５に示すように、時刻ｔ１において、放電灯９０に所定の印加電圧Ｖが印加されると、放電灯９０から放電光の放射が開始され、画像信号５０２に応じて左目用映像と右目用映像が交互に切り替わり投写される。
尚、光源駆動制御部５８２は、画像信号変換部５１０から出力される同期信号を解析し、放電灯９０に印加する印加電圧Ｖが、第１期間で相対的に最小となり、第２期間で相対的に最大となるように放電灯点灯装置１０を制御する。以降、このような制御をブースト制御と呼ぶ。本実施形態では、定格電圧に対する輝度を１００％とした場合、放電開始時には第１期間のランプ輝度は３０％程度である。また、本実施形態では、放電灯９０の点灯開始時におけるプロジェクター５００内部は低温状態を想定し、第２期間のランプ輝度として１２０％程度を想定するが、これには限定されない。
【００４０】
ブースト制御により、第１期間では映像が暗く投写され、第２期間では映像が明るく投写される。即ち、第１期間では、右シャッター４１２及び左シャッター４１４の両方とも閉じている期間があるため、投写される映像が暗くても映像品質に影響を与えにくい。一方、第２期間では、右シャッター４１２及び左シャッター４１４のいずれか一方が開いた状態であり、ユーザーに対して投写される映像を明るく見せることができる。また、第１期間で映像を暗く投写することにより、クロストークの発生は抑制される。
【００４１】
他方で、放電灯９０が点灯して投写を開始すると、図示を略したファンや送風経路等で構成される冷却装置５９５が作動し、放電灯９０等の温度が上昇する領域の冷却を開始するが、例えば、吸気口や送風口が塞がれた場合、プロジェクター５００内部の温度が漸次上昇する。温度検出部５９０は温度を検出し、検出した温度が所定の基準温度Ｓを超えた場合、光源駆動制御部５８２は、温度上昇を抑制すべく、第２期間において放電灯９０に印加する印加電圧Ｖの低減処理を開始する。図５においては時刻ｔ５から低減処理が開始される。
光源駆動制御部５８２は、低減処理を開始すると、温度検出部５９０が検出する温度上昇に応じて低減した印加電圧Ｖを決定し、決定した印加電圧Ｖを放電灯点灯装置１０に通知する。本実施形態では、光源駆動制御部５８２は、温度と第２期間の印加電圧Ｖとを対応付けた相関関係のデータを予め保持している。尚、ブースト制御を行う場合には第１の相関関係を適用し、ブースト制御を行わない場合には第２の相関関係を適用するように設定されている。本実施形態では、２つの相関関係は離散値化されたテーブル形式の態様でプロジェクター５００に記憶されている。
尚、プロジェクター５００内部の温度上昇が同一である場合、ブースト制御を行う場合に適用する第１の相関関係が示す印加電圧Ｖの減少率（変化率）は、ブースト制御を行わない場合に適用する第２の相関関係が示す印加電圧Ｖの減少率よりも小さくなるように設定されている。これは、ブースト制御を行う場合、シャッター切り替え時に右シャッター４１２及び左シャッター４１４が共に閉じるタイミングでランプ輝度が低下するため、ブースト制御時において温度上昇に係る寄与度がブースト制御を行わない場合の寄与度よりも小さいからである。
【００４２】
従って、ブースト制御時においては、図５のグラフＰに示すように時間の経過に従い温度の上昇に応じて印加電圧Ｖが漸次低下し、例えば、時刻ｔ１７においては第２期間におけるランプ輝度が９０％程度まで低下し、第１期間と第２期間との輝度差が縮小する。尚、輝度差は漸次縮小するため、ユーザーは３次元映像の明るさ低下を感じることなく視認を継続できる。
他方で、ブースト制御を行わず、第１期間と第２期間とを同一の印加電圧による同一の輝度で連続して放電灯９０を点灯させる場合、図５のグラフＱに示すように、時間の経過に伴う温度の上昇に応じてグラフＰよりも大きい減少率で印加電圧Ｖが低下する。
【００４３】
尚、図５は、温度検出部５９０が検出する温度が上昇する場合について説明したが、塞がれていた送風口が通常状態に復元され、冷却装置５９５が正常に機能した場合、温度下降に伴って印加電圧が増加し、ランプ輝度は漸次上昇する。最終的には、温度が所定の基準温度Ｓ以下に遷移した場合、第２期間のランプ輝度は１２０％程度に復帰する。
本実施形態では、ブースト制御を行う場合、温度上昇に伴って第２期間の印加電圧Ｖを低下させたが、更に第１期間の印加電圧Ｖも低下させる態様も想定できる。
【００４４】
以上述べた実施形態によれば、以下のような効果を奏する。
（１）アクティブシャッターメガネ方式を採用し、プロジェクター５００がブースト制御により右目用と左目用の画像を違和感無く切り替えて３次元に投写するプロジェクターシステム４００において、何らかのトラブルによりプロジェクターシステム４００の冷却が機能しなくなった場合、ブースト制御で制御する輝度差をプロジェクター５００内部の温度上昇に応じて縮小させる。従って、プロジェクター５００は過熱による故障を回避し、３次元映像の品質を落とすことなく投写を継続できる。
【００４５】
以上、本発明を図示した実施形態に基づいて説明したが、本発明は、本実施形態に限定されるものではなく、以下に述べるような変形例も想定できる。
映画コンテンツのように３次元表示と２次元表示が混在する場合、投写する画像信号５０２が３次元表示の場面か、否かを判定し、３次元表示に対応した場面である場合にはブースト制御を行い、３次元表示に対応した場面でない場合には、温度上昇に従って印加電圧Ｖを低下させても良く、また、温度に依らず一定の印加電圧Ｖを印加する態様も想定できる。
また、第１期間と第２期間との間に、第３期間が存在する態様も想定できる。この場合、第３期間においては、第１期間及び第２期間における印加電圧Ｖの制御とは異なる制御を行ってもよい。
また、プロジェクター５００はスクリーン７００の背面から投写する態様も想定できる。更に、プロジェクター５００は、本実施形態で採用した液晶プロジェクター方式には限定されず、ＤＬＰプロジェクター方式やＬＣＯＳプロジェクター方式等であっても良い。
【００４６】
また、以上のような手法を実施する装置は、単独の装置によって実現される場合もあれば、複数の装置を組み合わせることによって実現される場合もあり、各種の態様を含むものである。
各実施形態における各構成及びそれらの組み合わせは一例であり、本発明の趣旨から逸脱しない範囲内で、構成の付加、省略、置換およびその他の変更が可能である。また、本発明は実施形態では限定されるものではなく、クレームの範囲によってのみ限定される。
【符号の説明】
【００４７】
１０…放電灯点灯装置、５０…副反射鏡、８０…直流電源装置、９０…放電灯、９０ｅ１…第１端部、９０ｅ２…第２端部、９１…放電空間、９２…第１電極、９３…第２電極、１１２…主反射鏡、１１４…固定部材、２００…光源装置、２１０…光源ユニット、３０５…平行化レンズ、３１０…照明光学系、３２０…色分離光学系、３３０Ｒ，３３０Ｇ，３３０Ｂ…液晶ライトバルブ、３４０…クロスダイクロイックプリズム、３５０…投写光学系、４００…プロジェクターシステム、４１０…アクティブシャッターメガネ、４１２…右シャッター、４１４…左シャッター、５００…プロジェクター、５０２…画像信号、５１０…画像信号変換部、５１２Ｒ，５１２Ｇ，５１２Ｂ…画像信号、５２２…固定部材、５３４…導電性部材、５３６…第１端子、５４４…導電性部材、５４６…第２端子、５６０Ｒ，５６０Ｇ，５６０Ｂ…液晶パネル、５７０…画像処理装置、５７２Ｒ，５７２Ｇ，５７２Ｂ…駆動信号、５８０…制御部、５８２…光源駆動制御部、５８４…タイミング制御部、５９０…温度検出部、５９５…冷却装置、６００…交流電源、７００…スクリーン。
【図１】
2015102571.tif 000003
【図２】
2015102571.tif 000004
【図３】
2015102571.tif 000005
【図４】
2015102571.tif 000006
【図５】
2015102571.tif 000007